(57)【特許請求の範囲】
【請求項１】
高音域用スピーカを含む複数のスピーカが配置されると共に前面側にグリルが配置されたスピーカにおいて、
上記グリルにおける高音域用スピーカの前面側に、
上記グリルのグリル本体部に対してその周方向に回転可能であって、上記高音域用スピーカの指向性を可変するように多数の桟を有する可変操作部を備え、
上記グリル本体部に、
中低音域用スピーカの指向性を可変するように多数の桟を設け、
上記可変操作部および上記グリル本体部に、それぞれ独自の指向性を持たせる構造としたことを特徴とするスピーカ。
【請求項２】
前記可変操作部には、音響マスキング部材として吸音材又はスクリーンが配置されていることを特徴とする請求項１記載のスピーカ。
【請求項３】
前記可変操作部が、保持部材を介して前面側から前記グリルに取り付けられるようになっていることを特徴とする請求項１記載のスピーカ。
【請求項４】
前記可変操作部を前記グリルの前面側から装着すると共に裏面側から保持部材を介して保持させるようになっていることを特徴とする請求項１記載のスピーカ。
【発明の詳細な説明】
【０００１】
【発明の属する技術分野】
本発明は、高音域用スピーカを含む複数のスピーカが配置されると共に前面側にグリルが配置されたスピーカに係り、特に高音域用スピーカの指向性等を可変調整し得るようにしたスピーカに関する。
【０００２】
【従来の技術】
従来のスピーカグリルは、図１１に示すように、金網状に形成した金属板１２を枠１１に取り付けたもの、図１２に示すように、角穴又は丸穴等のパンチングを施した金属板１４を枠１３に取り付けたもの、或は、図１３に示すように、合成樹脂製で多数のスリット１６と枠１５を一体成形したもの等が使用されている。
【０００３】
【発明が解決しようとする課題】
ところが、金網状のものやパンチングを施した金属板のものにあっては、単に穴を有するだけであるため、スピーカの指向性を可変することができなかった。また、合成樹脂製のものにあっては、図１４に示すように、スリット形状を形成する桟１６ａに角度αを付けて指向性を操作すること可能であるが、取り付けられた後は指向性を可変調整することができなかった。
【０００４】
本発明の目的は、前記のような従来の欠点を解消し、特に高音域用スピーカの指向性、音圧、周波数特性等を可変調整し得るようにしたスピーカを提供することにある。
【０００５】
【課題を解決するための手段】
本発明のスピーカは、高音域用スピーカを含む複数のスピーカが配置されると共に前面側にグリルが配置されたスピーカにおいて、グリルにおける高音域用スピーカの前面側に、グリルのグリル本体部に対してその周方向に回転可能であって、高音域用スピーカの指向性を可変するように多数の桟を有する可変操作部を備え、グリル本体部に、中低音域用スピーカの指向性を可変するように多数の桟を設け、可変操作部およびグリルの本体部に、それぞれ独自の指向性を持たせる構造としたことを特徴とする。
【０００６】
また、別の本発明のスピーカは、可変操作部には、音響マスキング部材として吸音材又はスクリーンが配置されていることを特徴とする。
【０００７】
また、別の本発明のスピーカは、可変操作部が、保持部材を介して前面側からグリルに取り付けられるようになっていることを特徴とする。
【０００８】
また、別の本発明のスピーカは、可変操作部をグリルの前面側から装着すると共に裏面側から保持部材を介して保持させるようになっていることを特徴とする。
【０００９】
【作用】
高音域用スピーカの前面側に位置する可変操作部を回転させることにより、例えば、高音域用スピーカの指向性を変えることが容易になる。
【００１０】
また、可変操作部に吸音材又はスクリーン等の音響マスキング部材を配置しているので、マスキング効果により周波数特性の補正が可能となる。
【００１１】
また、可変操作部を保持部材を介して前面側からグリルに取り付けることができ、可変操作部をグリルに前面側から装着すると共に裏面側から保持部材を介して保持させることができ、取付操作が容易である。
【００１３】
【発明の実施の形態】
本発明のスピーカの参考例を図１〜図６および図８〜図１０に基づいて説明し、本発明のスピーカの実施例を図７に基づいて説明する。図１は、中低音域用スピーカ１の前面側に高音域用スピーカ２を同軸的に配置した同軸型スピーカーの例であり、前面側に保持枠１０を介してグリル３が配置されており、該グリル３には高音域用スピーカ２の前面側に位置するように、グリル本体部４に対して回転又は着脱交換が可能な可変操作部５が設けられている。
【００１４】
図１の参考例では、可変操作部５が多数の桟６ａを配置した桟構造６を備えていて図２に示すように回転し得るようになっており、スピーカーを車輛等に取り付けた後、その取付位置や角度に左右されることなく、可変操作部４を回転させることにより自由に指向性を変えることができる構造である。
【００１５】
また、この桟構造６はグリル本体部４からの脱着が可能であり、図３（Ａ）に示すように、桟の角度がαのもの、図３（Ｂ）に示すような角度０°のもの、或は、図３（Ｃ）に示すような角度β（α＜β）のもの等、各種のものが用意され、より強く指向効果を有する桟構造に交換することが可能となっていて、より細かな指向性の可変調整が可能となる。
【００１６】
図４（Ａ）、（Ｂ）は可変操作部５として音響効果を調整するホーン形状の部材７を用いたものであり、これによりスピーカ自体に手を加えることなくスピーカとしての音圧並びに周波数特性を調整することができる。
【００１７】
図５は前記桟構造６の背面側に吸音材又はスクリーン等の音響マスキング部材８を配置した例であり、これにより高音域部のマスキング効果により周波数特性の補正が可能となる。
【００１８】
図６は３スピーカにおける高域再生用の２つのスピーカ２、２０に設置した例であり、図７は中低音域を受けもつスピーカ１と高音域を受けもつスピーカ２にそれぞれ配置してそれぞれに独自の指向性をもたせるようにした例である。
【００１９】
図８〜図１０は可変操作部５を保持部材９を介して取り付ける取付構造を示す断面図であり、図８においては、グリル本体部４に設けた配置穴４ａの開口縁に弾性を有する材料からなるリング状のガスケット９ａを嵌め込むようにして可変操作部５を取り付けるように構成したものであり、前面側から着脱し得るように構成する。
【００２０】
図９においては、可変操作部５の後部を前面側から前記配置穴４ａに差し込み、押えリング９ｂ及びネジ９ｃ等の保持部材９で配置穴４ａの開口縁を挟持する形式で固定するものであり、図１０においては、可変操作部５の後部を前面側から配置穴４ａに差し込み、裏面側からクリップ部材９ｄ等で係合保持させる形式のものである。
【００２１】
【発明の効果】
本発明のスピーカによれば、複合スピーカにおいて、グリルに設けた可変操作部を回転させることにより、スピーカの取付角度等に関係なく高音域用スピーカの指向性を可変調整したり、音圧調整や周波数特性の可変調整が可能となる。
【図面の簡単な説明】
【図１】本発明のスピーカの参考例を示す断面図。
【図２】本発明のスピーカの参考例を示す正面図。
【図３】桟構造の桟の角度を示し、（Ａ）は角度αのもの、０°のもの、（Ｂ）は角度０°のもの、（Ｃ）は角度β（α＜β）のもの。
【図４】可変操作部をホーン形状のものとした例を示し、（Ａ）はスピーカの断面図、（Ｂ）は可変操作部の正面図。
【図５】可変操作部として、桟構造の背面側に音響マスキング材を配置した例を示し、（Ａ）は断面図、（Ｂ）は正面図。
【図６】３スピーカにおける高域を再生する２つのスピーカ２、２０に設置した例を示す正面図。
【図７】中低音域を受けもつスピーカと高音域を受けもつスピーカにそれぞれ配置した例を示す正面図。
【図８】可変操作部の取付構造を示す断面図。
【図９】可変操作部の取付構造の他の例を示す断面図。
【図１０】可変操作部の取付構造の更に他の例を示す断面図。
【図１１】従来の金網状のスピーカグリルを示す正面図。
【図１２】従来のパンチング金属板によるスピーカグリルを示す正面図。
【図１３】従来の桟付き合成樹脂製のスピーカグリルを示し、（Ａ）は正面図、（Ｂ）は断面図。
【図１４】従来の角度付き桟を設けた合成樹脂製のスピーカグリルを示す断面図。
【符号の説明】
１      中低音域用スピーカ
２      高音域用スピーカ
２０    高音域用スピーカ
３      グリル
４      グリル本体部
４ａ    配置穴
５      可変操作部
６      桟構造
６ａ    桟
７      ホーン形状の部材
８      音響マスキング部材
９      保持部材
１０    保持枠
【図１】
0003559835.tif 000002
【図２】
0003559835.tif 000003
【図３】
0003559835.tif 000004
【図４】
0003559835.tif 000005
【図５】
0003559835.tif 000006
【図６】
0003559835.tif 000007
【図７】
0003559835.tif 000008
【図８】
0003559835.tif 000009
【図９】
0003559835.tif 000010
【図１０】
0003559835.tif 000011
【図１１】
0003559835.tif 000012
【図１２】
0003559835.tif 000013
【図１３】
0003559835.tif 000014
【図１４】
0003559835.tif 000015